【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
外部機器と接続したか否かを判定するための第１端子と、前記外部機器から電力を受電する第２端子と、を備えるインターフェース部と、
前記第１端子の電圧に応じて、前記外部機器と前記インターフェース部が接続したか否かを検知する検知手段と、
前記第１端子の電圧が検出された第１のタイミングよりも、前記第２端子の電圧が検出された第２のタイミングが遅い場合に、前記第１端子の電圧に基づいて前記第２端子を介して前記外部機器から電力を受電する第１の受電制御を実行し、そうでない場合に前記第１の受電制御と異なる第２の受電制御を実行する制御手段と、を備えることを特徴とする電子機器。
【請求項２】
前記検知手段は、前記第１端子の電圧が第１の電圧範囲に含まれる電圧である場合に、前記外部機器と前記インターフェース部が接続したことを検知し、
前記第１のタイミングは、前記第１端子の電圧が前記第１の電圧範囲外の電圧から、前記第１の電圧範囲内の電圧になるタイミングであり、
前記第２のタイミングは、前記第２端子の電圧が第２の電圧範囲外の電圧から前記第２の電圧範囲内の電圧になるタイミングであることを特徴とする請求項１に記載の電子機器。
【請求項３】
前記第１の電圧範囲は、０．２Ｖ以上かつ２．１Ｖ以下であり、
前記第２の電圧範囲は、４．７５Ｖ以上かつ５．２５Ｖ以下であることを特徴とする請求項２に記載の電子機器。
【請求項４】
前記第１の受電制御において、前記制御手段は、前記第１端子の電圧に基づく電流値を、前記第２端子を流れる電流値の上限として設定し、前記第２端子を介して前記外部機器からの受電を制御することを特徴とする請求項１乃至３のいずれか１項に記載の電子機器。
【請求項５】
前記外部機器と接続するための第３端子および第４端子を備え、
前記第２の受電制御において、前記制御手段は、前記第３端子および前記第４端子の電圧値に基づく電流値を、前記第２端子を流れる電流値の上限として設定し、前記第２端子を介して前記外部機器からの受電を制御することを特徴とする請求項１乃至４のいずれか１項に記載の電子機器。
【請求項６】
前記外部機器と接続するための第３端子および第４端子を備え、
前記制御手段は、前記第２の受電制御において、前記第３端子および前記第４端子を介して前記外部機器と通信を行った結果に応じた電流値を、前記第２端子を流れる電流値の上限として設定し、前記第２端子を介して前記外部機器からの受電を制御することを特徴とする請求項１乃至４のいずれか１項に記載の電子機器。
【請求項７】
前記制御手段は、前記第２の受電制御において、前記第２端子を介して前記外部機器からの受電しないように制御することを特徴とする請求項１乃至４のいずれか１項に記載の電子機器。
【請求項８】
前記インターフェース部はＵＳＢ  Ｔｙｐｅ−Ｃ規格に準拠したインターフェースであり、
前記第１端子は、ＣＣ端子であり、
前記第２端子は、ＶＢＵＳ端子である、ことを特徴とする請求項１乃至７のいずれか１項に記載の電子機器。
【請求項９】
前記制御手段は、前記第１のタイミングに対する前記第２のタイミングの遅延時間が、所定の長さよりも長い場合、前記第２の受電制御で、前記外部機器から前記第２端子を介した受電を制御することを特徴とする請求項１乃至８のいずれか１項に記載の電子機器。
【請求項１０】
前記外部機器の接地端子と接続する第３端子と、
前記第２端子と前記第３端子との間の抵抗値を変化させる変化手段をさらに備え、
前記制御手段が前記第１のタイミングよりも前記第２のタイミングが遅いことを判定できない場合、  前記変化手段は前記抵抗値を変化させ、
前記制御手段は、前記変化手段が前記抵抗値を変化させた後の前記第１端子の電圧に基づいて、前記外部機器の種別を判定することを特徴とする請求項１乃至９のいずれか１項に記載の電子機器。
【請求項１１】
外部機器と接続したか否かを判定するための第１端子と、前記外部機器から電力を受電する第２端子と、を備えるインターフェース部と、
前記第１端子の電圧に応じて、前記外部機器と前記インターフェース部が接続したか否かを検知する検知手段と、
前記第１端子の電圧が検出された第１のタイミングと前記第２端子の電圧が検出された第２のタイミングとの順序に基づいて、前記外部機器の種類を判定する判定手段と、を備えることを特徴とする電子機器。
【請求項１２】
前記判定手段により判定された前記外部機器の種別に基づく検出方法で前記外部機器の給電能力を検出する検出手段をさらに備えることを特徴とする請求項１１に記載の電子機器。
【請求項１３】
前記判定手段は、前記外部機器と前記電子機器とが接続したのち、前記第２端子の電圧が所定の値以上になるより早く前記第１端子の電圧が所定の値以上になった場合に、前記外部機器がＵＳＢ−Ｔｙｐｅ−Ｃ規格に準拠した機器であると判定することを特徴とする請求項１１または１２に記載の電子機器。
【請求項１４】
前記判定手段は、前記第２端子における電圧の印加を検出した後、前記第１端子への電圧の印加の開始を検出した場合に、前記外部機器がＵＳＢ  Ｔｙｐｅ−Ｃに準拠した機器でないと判定することを特徴とする請求項１１乃至１３のいずれか１項に記載の電子機器。
【請求項１５】
外部機器と接続したか否かを判定するための第１端子と、前記外部機器から電力を受電する第２端子と、を備えるインターフェース部を備える電子機器の制御方法であって、
前記第１端子の電圧に応じて、前記外部機器と前記インターフェース部が接続したか否かを検知し、
前記第１端子の電圧が検出された第１のタイミングよりも、前記第２端子の電圧が検出された第２のタイミングが、遅い場合に、前記第１端子の電圧に基づいて前記第２端子を介して前記外部機器から電力を受電する第１の受電制御を実行し、そうでない場合に前記第１の受電制御と異なる第２の受電制御を実行する、ことを含むことを特徴とする電子機器の制御方法。
【請求項１６】
外部機器と接続したか否かを判定するための第１端子と、前記外部機器から電力を受電する第２端子と、を備えるインターフェース部を備える電子機器の制御方法であって、
前記第１端子の電圧に応じて、前記外部機器と前記インターフェース部が接続したか否かを検知し、
前記第１端子の電圧が検出された第１のタイミングよりも、前記第２端子の電圧が検出された第２のタイミングとの順序に基づいて、前記外部機器の種類を判定する、ことを含むことを特徴とする電子機器の制御方法。
【手続補正２】
【補正対象書類名】明細書
【補正対象項目名】００１０
【補正方法】変更
【補正の内容】
【００１０】
上記の目的を達成するための本発明の一態様による電子機器は以下の構成を備える。すなわち、
外部機器と接続したか否かを判定するための第１端子と、前記外部機器から電力を受電する第２端子と、を備えるインターフェース部と、
前記第１端子の電圧に応じて、前記外部機器と前記インターフェース部が接続したか否かを検知する検知手段と、
前記第１端子の電圧が検出された第１のタイミングよりも、前記第２端子の電圧が検出された第２のタイミングが遅い場合に、前記第１端子の電圧に基づいて前記第２端子を介して前記外部機器から電力を受電する第１の受電制御を実行し、そうでない場合に前記第１の受電制御と異なる第２の受電制御を実行する制御手段と、を備える。